(57)【要約】【課題】安価で高性能なロック機能付きブランチハンガーを提供する。【解決手段】鋼線Ｗを折り曲げて形成されているブランチハンガー１である。弾性支持部２から延びて、先端部分に掛止構造５が形成されている揺動アーム３及び支持アーム４を備える。掛止構造５は、揺動アーム３に形成されたフック部５０と、支持アーム４に対向して形成された一対の交差フック部５１と、揺動アーム３を弾性力に抗して受け止めるアーム受止部５２と、揺動アーム３の揺動を規制するロックアーム６０とを有している。ロック状態とアンロック状態とにロックアーム６０が支持アーム４の回りに回動可能に取り付けられている。【選択図】図２
2017201904.tif 000002
【特許請求の範囲】
【請求項１】
鋼線を折り曲げることによって形成されているブランチハンガーであって、
コイル状の弾性支持部と、
前記弾性支持部の両端から同じ側にＶ状に延びて、先端部分に掛止構造が形成されている揺動アーム及び支持アームと、
を備え、
前記掛止構造は、
前記支持アームの側に突出するＵ形状に、前記揺動アームの先端部分に形成されたフック部と、
前記支持アームが延びる方向に突出するＵ形状に、前記支持アームの先端部分に対向して形成された一対の交差フック部と、
前記交差フック部の各々から前記揺動アームの側にＵ形状に突出し、前記交差フック部の間に入り込んだ前記フック部が当該交差フック部と重なって、掛止対象が挿通される掛止口が形成されるように、前記揺動アームを弾性力に抗して受け止めるアーム受止部と、
前記支持アームから前記揺動アームに向かって突出し、その突端部分に当該揺動アームの揺動を規制するロック部が形成されているロックアームと、
を有し、
前記ロック部が前記揺動アームを突っ張ることにより、前記アーム受止部に受け止められた状態で前記揺動アームを揺動不能に支持するロック状態と、前記ロック部が前記揺動アームの側方に外れることにより、前記揺動アームが揺動可能になるアンロック状態とに、前記ロックアームが、前記支持アームの回りに回動可能に取り付けられているブランチハンガー。
【請求項２】
請求項１に記載のブランチハンガーにおいて、
１本の前記鋼線で前記ブランチハンガーの全体が形成されており、
一方の端部に前記フック部が形成されている前記鋼線の他方の端部に、一方の前記交差フック部に連なって前記支持アームに沿って延びる補助アームと、当該補助アームの先端部分が前記支持アームに巻き付けられた巻付部とが形成され、
前記ロックアームが、前記巻付部から前記鋼線を延設することによって形成されているブランチハンガー。
【発明の詳細な説明】
【技術分野】
【０００１】
本発明は、主に、延縄漁で用いられる金具（ブランチハンガー）に関する。
【背景技術】
【０００２】
延縄漁は、マグロ漁などで古くから用いられている釣漁法の一つである。図１に示すように、延縄漁では、１本の長い幹縄１００に、餌を付けた釣り針や疑似餌が先端に取り付けられている枝縄１０１が一定の間隔でぶら下げられた漁具（延縄）が用いられる。その延縄を一定時間海中に設置した後、回収することにより、枝縄１０１に掛かった魚を釣り上げる。
【０００３】
延縄は、幹縄１００に多数の枝縄１０１が連なったままの状態であると、船上に巻き上げた時に容易に絡まってしまうため扱い難い。特に、幹縄１００の長さが数Ｋｍにも及ぶような、大規模な延縄漁では、ラインホーラーと称するウインチで幹縄１００を巻き取るのが一般的であり、各枝縄１０１は、幹縄１００がラインホーラーに巻き取られる前に幹縄１００から取り外される。
【０００４】
そのため、各枝縄１０１は、幹縄１００から簡単に短時間で脱着できるように、古くからブランチハンガー１０２と称する金具を用いて幹縄に掛け止めることが行われている（特許文献１〜特許文献４）。
【０００５】
図１に拡大して示すように、ブランチハンガー１０２は、クリップ形状をした金具であり、ばね鋼鋼材を曲げ加工して形成されている。ブランチハンガー１０２は、１本の丸線材を複雑な形状に曲げて形成されるため、従来は、工程別に手作業で段階的に曲げ加工することによって製造されている。特許文献２に見られるように、ブランチハンガー１０２の形状は確立されており、その基本的形状は現在もほとんど変わっていない。
【０００６】
枝縄１０１を幹縄１００から脱着する際には、ブランチハンガー１０２を操作し、揺動アーム１０２ａを、仮想線で示すようにその弾性力に抗して揺動させる。そうすることにより、揺動アーム１０２ａの先端部分に形成されたフック部１０２ｂが、支持アーム１０２ｃの先端部分に形成された交差フック部１０２ｄから外れ、矢印で示すように、これらによって掛け止められていた幹縄１００が取り外せるようになるので、ワンタッチで枝縄１０１を幹縄１００から脱着することができる。
【０００７】
ところが、このようなブランチハンガー１０２を用いて延縄漁を行った場合、ブランチハンガー１０２が海中で外れて枝縄１０１が流されてしまうことがあるため、使用中は外れることのないブランチハンガーが要望されている。そのため、使用中は外れ難くなるように、改良を加えたブランチハンガーもいくつか提案されている。
【０００８】
例えば、特許文献１には、交差フック部１０２ｄとアーム受止部１０２ｅとの間の部分を湾曲させて突出した部位（縄止部９）を設けることにより、揺動アームが揺動しても幹縄が容易に外れないようにしたブランチハンガーが開示されている。しかし、特許文献１のブランチハンガーの場合、揺動アームが大きく揺動すれば、幹縄が突出部位を乗り越えて外れ得るため、充分とは言えない。
【０００９】
それに対し、特許文献３や特許文献４には、揺動アームの揺動を規制するストッパーが設けられたブランチハンガーが開示されている。これらブランチハンガーによれば、ストッパーをロックさせることで揺動アームの揺動が規制されるため、使用中に発生するブランチハンガーの外れ落ちを安定して防止することができる。
【先行技術文献】
【特許文献】
【００１０】
【特許文献１】実開昭６０−１８５４７０号公報
【特許文献２】特開２０００−１５７１２６号公報
【特許文献３】実開昭５７−１８９３７４号公報
【特許文献４】実開昭５８−１１５９６７号公報
【発明の概要】
【発明が解決しようとする課題】
【００１１】
しかしながら、特許文献３や特許文献４のストッパーは、上述したクリップ形状のブランチハンガーに、別部材を組み付けることによって構成されている。そのため、構造が複雑で、コストも割高になることから、消耗品として多量に用いられるブランチハンガーには不相応であり、ロック機能付きブランチハンガーは、これまでのところ、普及するまでには至っていない。
【００１２】
そこで本発明の目的は、安価で製造することができ、実用化も容易で高性能なロック機能付きブランチハンガーを提供することにある。
【課題を解決するための手段】
【００１３】
本発明は、鋼線を折り曲げることによって形成されているブランチハンガーであって、コイル状の弾性支持部と、前記弾性支持部の両端から同じ側にＶ状に延びて、先端部分に掛止構造が形成されている揺動アーム及び支持アームと、を備える。
【００１４】
前記掛止構造は、前記支持アームの側に突出するＵ形状に、前記揺動アームの先端部分に形成されたフック部と、前記支持アームが延びる方向に突出するＵ形状に、前記支持アームの先端部分に対向して形成された一対の交差フック部と、前記交差フック部の各々から前記揺動アームの側にＵ形状に突出し、前記交差フック部の間に入り込んだ前記フック部が当該交差フック部と重なって、掛止対象が挿通される掛止口が形成されるように、前記揺動アームを弾性力に抗して受け止めるアーム受止部と、前記支持アームから前記揺動アームに向かって突出し、その突端部分に当該揺動アームの揺動を規制するロック部が形成されているロックアームと、を有している。
【００１５】
前記ロック部が前記揺動アームを突っ張ることにより、前記アーム受止部に受け止められた状態で前記揺動アームを揺動不能に支持するロック状態と、前記ロック部が前記揺動アームの側方に外れることにより、前記揺動アームが揺動可能になるアンロック状態とに、前記ロックアームが、前記支持アームの回りに回動可能に取り付けられている。
【００１６】
すなわち、このブランチハンガーは、ロック機能を有しているうえに、鋼線を折り曲げて形成されているため、別部材は不要であり、安価に製造できる。しかも、ロックアームが支持アームに回動可能に取り付けられていて、そのロック部が揺動アームを突っ張った状態と揺動アームの側方に外れた状態とに、ロックアームを僅かに回動させるだけで、ロック状態とアンロック状態とに切り換えることができるので、操作性にも優れる。
【００１７】
具体的には、１本の前記鋼線で前記ブランチハンガーの全体を形成することができる。その場合、一方の端部に前記フック部が形成されている前記鋼線の他方の端部に、一方の前記交差フック部に連なって前記支持アームに沿って延びる補助アームと、当該補助アームの先端部分が前記支持アームに巻き付けられた巻付部とが形成され、前記ロックアームが、前記巻付部から前記鋼線を延設することによって形成されているようにするのが好ましい。
【００１８】
そうすれば、従来のブランチハンガーに比べて、ブランチハンガーに加工する１本の鋼線を僅かに長くするだけでよいため、材料コストの増加は極めて小さいうえに、構造も極めて簡素にできる。しかも、この形態であれば、人手を介さずに、全工程を機械的に加工することができるため、高品質なロック機能付きブランチハンガーを、安価で量産することが可能になる。
【発明の効果】
【００１９】
本発明によれば、極めて安価で高性能なロック機能付きブランチハンガーが実現できるため、ロック機能付きブランチハンガーを広く普及させることができ、延縄漁の生産性向上等に貢献できる。
【図面の簡単な説明】
【００２０】
【図１】延縄漁及び従来のブランチハンガーを説明する概略図である。
【図２】本発明を適用したロック機能付きブランチハンガーを示す正面図、側面図、及び背面図である。本図は、アンロック状態のブランチハンガーを表している。
【図３】ロック状態のブランチハンガーを示す正面図、側面図、及び背面図である。
【図４】ロック状態とアンロック状態との切替操作を説明する概略図である。
【図５】ロック機能付きブランチハンガーの製造過程を説明する概略図である。
【発明を実施するための形態】
【００２１】
以下、本発明の実施形態を図面に基づいて詳細に説明する。ただし、以下の説明は、本質的に例示に過ぎず、本発明、その適用物あるいはその用途を制限するものではない。
【００２２】
図２に、本発明を適用したロック機能付きブランチハンガー１を示す（以下、単にブランチハンガー１ともいう）。図２の右側がブランチハンガー１の正面図、図２の中央がブランチハンガー１の右側面図、図２の左側がブランチハンガー１の背面図である。
【００２３】
ブランチハンガー１は、円形断面を有する１本の鋼線Ｗ（ばね鋼鋼材）の複数カ所を所定形状に折り曲げることによって形成されており、その全体は鋼線Ｗのみで構成されている。ブランチハンガー１の大きさは、例えば、その全長が１０ｍｍ〜１００ｍｍなど、その用途に応じて様々に変更可能であり、鋼線Ｗの直径もその大きさに応じて適宜選択することができる。
【００２４】
ただし、その形状は、ブランチハンガー１の大きさが異なる場合であってもほぼ同一であり、各サイズのブランチハンガー１は、その全体を拡大又は縮小するようにして製造されている。その際、このブランチハンガー１は、人手を介さず、機械的に製造されている。それにより、高精度で安定した曲げ加工が可能となり、従来の人手による作業では実現が困難であった微妙な接触度合やクリアランス、位置関係も安定して実現できるようになっている。
【００２５】
ブランチハンガー１は、大略、弾性支持部２、揺動アーム３、及び支持アーム４で構成されている。
【００２６】
弾性支持部２は、鋼線Ｗの中間部位に形成されたコイル状の部分であり、鋼線Ｗを１回円形に曲げることによって形成されている（１重螺旋）。弾性支持部２を構成している螺旋の始端２ａと終端２ｂとは、中心角で約１８０度離れた対向位置に位置しており、始端２ａに連なる鋼線Ｗによって支持アーム４が構成され、終端２ｂに連なる鋼線Ｗによって揺動アーム３が構成されている。弾性支持部２は、揺動アーム３及び支持アーム４を支持しつつ、支持アーム４に対して揺動アーム３を揺動させる弾性力を付与する機能とともに、枝縄や釣り糸等を接続する接続部としての機能も有している。
【００２７】
揺動アーム３及び支持アーム４は、弾性支持部２の両端から同じ側にＶ状（両者の間隔が先端側に向かって次第に大きくなる状態）に延びるように形成されており、弾性支持部２の中心軸Ｊ回りに相対的に揺動可能となっている。そして、常態（外力が作用していない通常の状態）の揺動アーム３は、揺動アーム３及び支持アーム４の先端部分に形成されている掛止構造５により、支持アーム４から離れる方向に揺動しようとする弾性力に抗した状態で、支持アーム４と略平行に保持されている。
【００２８】
掛止構造５は、幹縄などの掛止対象に対し、掛け止め及び取り外しの操作をワンアクションで可能にする構造であり、フック部５０、一対の交差フック部５１，５１、アーム受止部５２などで構成されている。
【００２９】
フック部５０は、鋼線Ｗの一方の端部が、中心軸Ｊと平行な軸回りに折り曲がることにより、支持アーム４の側に向かって突出するＵ形状に形成された部分であり、揺動アーム３の先端部分に形成されている。詳しくは、フック部５０は、揺動アーム３の先端側をＬ状に折り曲げて、支持アーム４の側に向かって延びるように形成されたフック基部５０ａと、フック基部５０ａの先端側を半円状に折り返すように曲げて形成された円弧部５０ｂと、円弧部５０ｂに連なってフック基部５０ａと略平行に延びる、フック基部５０ａよりも短いフック先端部５０ｃとで構成されている。
【００３０】
一対の交差フック部５１は、支持アーム４の先端部分に、鋼線Ｗの直径よりも僅かに大きな隙間を隔てて互いに対向するように形成されている。各交差フック部５１は、フック部５０と同様に、中心軸Ｊと平行な軸回りに、揺動アーム３の側に向かって鋼線Ｗが折り曲がることにより、支持アーム４が延びる方向に向かって突出するＵ形状に形成されている。各交差フック部５１は、フック部５０と同じ曲率で形成されている。
【００３１】
詳しくは、一方の交差フック部５１は、支持アーム４の先端側を半円状に折り返すように曲げて形成された交差円弧部５１ａ１と、交差円弧部５１ａ１に連なって支持アーム４と略平行に延びる短い交差直線部５１ｂ１とで構成されている。他方の交差フック部５１は、補助アーム５３の先端側を半円状に折り返すように曲げて形成された交差円弧部５１ａ２と、交差円弧部５１ａ２に連なって支持アーム４と略平行に延びる短い交差直線部５１ｂ２とで構成されている。
【００３２】
補助アーム５３は、他方の交差フック部５１に連なる、鋼線Ｗの他方の端部によって形成されている部分であり、鋼線Ｗの直径よりも僅かに大きな隙間を隔てた状態で、支持アーム４の先端側の部分に沿って延びている。補助アーム５３は、その先端部分（鋼線Ｗの末端）を支持アーム４の中間部分にコイル状に巻き付けて形成された巻付部５４を介して支持アーム４に支持されている。巻付部５４は、揺動アーム３の側から支持アーム４に、交差フック部５１の側から見て時計回りに巻き付けて形成されている。
【００３３】
アーム受止部５２は、各交差フック部５１の交差直線部５１ｂ１，５１ｂ２の先端から揺動アーム３の側に向かってＵ形状に突出した部分であり、鋼線Ｗの両交差フック部５１，５１の間に連なる部分が、中心軸Ｊに直交した方向に折れ曲がることによって形成されている。アーム受止部５２の先端５２ａは、その基端５２ｂよりも弾性支持部２の側に位置しており、アーム受止部５２は交差直線部５１ｂ１，５１ｂ２に対して傾斜した状態となっている。
【００３４】
常態では、このアーム受止部５２により、揺動アーム３のフック部５０に近い部分が、支持アーム４から離れる方向に揺動しようとする弾性力に抗して受け止められた状態となっている（掛止状態）。この掛止状態において、両交差フック部５１，５１の間の隙間にフック部５０が入り込み、フック部５０と各交差フック部５１とが重なるように設計されている。それにより、両交差フック部５１，５１の開口部分がフック基部５０ａで塞がれて円形状の掛止口５５が形成されている。
【００３５】
ブランチハンガー１を幹縄に掛け止める場合には、例えば、揺動アーム３の中間部分を幹縄に押し付けるようにして幹縄に引っ掛ける。そうすれば、図２に仮想線で示すように、揺動アーム３が幹縄に押されて支持アーム４の側に揺動し、揺動アーム３に沿って両交差フック部５１，５１に幹縄が滑り込む。その際、アーム受止部５２は、幹縄を安定して両交差フック部５１，５１に誘導するガイドとして機能する。
【００３６】
幹縄が両交差フック部５１，５１に入り込むと、幹縄はフック部５０に嵌まり込む状態となり、幹縄による押し付け力が無くなって揺動アーム３は掛止状態に復帰する。それにより、幹縄が掛止口５５に挿通された状態となり、ブランチハンガー１が幹縄に掛け止められる。
【００３７】
幹縄からブランチハンガー１を取り外す場合には、揺動アーム３の中間部分を支持アーム４の側に押し付ける。そうして、フック部５０を両交差フック部５１，５１の間から抜け出させ、両交差フック部５１，５１の開口部分から幹縄を取り外す。
【００３８】
（ロックアーム６０）
このブランチハンガー１には、掛止状態に安定して保持できるように、ロックアーム６０が設けられている。本実施形態のロックアーム６０は、ブランチハンガーの基本的構造を利用することにより、簡素かつ安価に形成されている。
【００３９】
すなわち、ロックアーム６０は、ブランチハンガーの基本的構造では鋼線Ｗの末端に形成されている巻付部５４から鋼線Ｗを延設することによって形成されている。従って、その材料の変更は、ブランチハンガーに加工する１本の鋼線Ｗを僅かに長くするだけでよいため、材料コストの増加は極めて小さいうえに、複数の鋼線Ｗを組み付ける必要も無いため、その構造も極めて簡素である。
【００４０】
ロックアーム６０は、支持アーム４に巻き付けられた巻付部５４に支持されているため、巻付部５４の弾性力の作用を受けながら支持アーム４の回りに回動可能となっている。ロックアーム６０は、巻付部５４の端部に連なる鋼線Ｗを屈曲して形成されており、スイング部６１、ロック部６２などで構成されている。
【００４１】
スイング部６１は、支持アーム４に対して補助アーム５３の反対側に延びるように、揺動アーム３に向かって突出し、その突端が、掛止状態にある揺動アーム３の近傍に位置するように形成された部分である。そのスイング部６１の突端部分に、揺動アーム３の揺動を規制するロック部６２が形成されている。
【００４２】
ロック部６２は、スイング部６１の突端から、弾性支持部２の側に向かって延びるように屈曲し、かつ、中心軸Ｊが延びる方向に傾斜するように小さく屈曲したホールド部６２ａと、ホールド部６２ａの先端側に設けられたスイッチ部６２ｂとを有している。スイッチ部６２ｂは、中心軸Ｊと平行な軸回りに鋼線Ｗを曲げることによって、円環状に形成されている。
【００４３】
ホールド部６２ａは、掛止状態にある揺動アーム３の、支持アーム４の側に近接している。ホールド部６２ａとスイッチ部６２ｂとの間の部分は、僅かに支持アーム４の側に窪んだ状態となっており、スイッチ部６２ｂは、中心軸Ｊが延びる方向から見たときに、掛止状態にある揺動アーム３と一部が重なるように設計されている。
【００４４】
図２は、揺動アーム３が揺動可能な状態（アンロック状態）のブランチハンガー１を表しており、図３は、揺動アーム３が揺動不能な状態（ロック状態）のブランチハンガー１を表している。
【００４５】
図２に示すように、アンロック状態では、ロック部６２（ホールド部６２ａ及びスイッチ部６２ｂ）が、掛止状態にある揺動アーム３（以下、単に揺動アーム３という）の側方、詳しくは支持アーム４に対して補助アーム５３の反対側の側方に外れて位置している。ロックアーム６０は、このアンロック状態において、巻付部５４の弾性力が作用しない無負荷の状態となるように設計されている。従って、アンロック状態の揺動アーム３は従来通りに揺動できる。
【００４６】
図４に仮想線で示すように、スイッチ部６２ｂを揺動アーム３に向かって押し付けることで、ロックアーム６０及び巻付部５４が、撓み変形しながらスイング部６１が回動するとともに、スイッチ部６２ｂが揺動アーム３を横切って揺動アーム３の反対側の側方（支持アーム４に対して補助アーム５３の側の側方）に移行し、図３に示すロック状態になる。
【００４７】
ロック状態では、スイッチ部６２ｂは、巻付部５４の弾性力によって揺動アーム３の側方に圧接し、ホールド部６２ａは、揺動アーム３の揺動方向側を斜めに横切った状態となる。それにより、揺動アーム３は、スイッチ部６２ｂによって押さえられながら、ホールド部６２ａによって突っ張られた状態となり、揺動アーム３は揺動できなくなる。スイッチ部６２ｂを押し戻せば、簡単にロック状態を解除することができる。
【００４８】
スイッチ部６２ｂは円環状に形成されているため、安全なうえ、押し付ける面積が大きいため、弱い力で簡単に切替操作ができる。更に、ホールド部６２ａが弾性支持部２の側に向かって延びることにより、ロックアーム６０が弾性支持部２の側に偏在しているため、揺動アーム３を押し込む際、弱い力で押し込める揺動先端側の部分が操作できるうえに、ロックアーム６０が邪魔になり難く、掛け止め及び取り外しの操作も簡単に行える。
【００４９】
ロックアーム６０を押して僅かに回動させるだけで、ロック状態とアンロック状態との切替操作ができるので、機械を用いて自動的にロック状態とアンロック状態との切替操作を行うことも容易に実現できる。例えば、上述した特許文献２に記載されているような、自動取外し装置に、ロックアーム６０を操作してロック状態とアンロック状態とに切り換えるロックアーム切替機構を組み込めばよい。そうすれば、枝縄の抜け外れを効果的に防止しながら枝縄の脱着作業が自動化できるので、延縄漁の生産性向上が図れる。
【００５０】
（ブランチハンガー１の製造）
ブランチハンガー１は、ＮＣマルチフォーミングマシン７０（公知）を用いることにより、機械的に製造することができる。
【００５１】
図５に、その概要を示す。ＮＣマルチフォーミングマシン７０には、鋼線Ｗを送り出す送り出し機７０ａや、変位や回転が可能な複数（２つを例示）の作業アーム７０ｂが備えられており、送り出し機７０ａから送り出される鋼線Ｗをこれら作業アーム７０ｂで曲げ加工することで、鋼線Ｗを様々な形状に加工することができる。
【００５２】
ブランチハンガー１は、このＮＣマルチフォーミングマシン７０を用いて形成できるように構成されている。具体的には、まず、送り出された鋼線Ｗの先端部分にロック部６２を形成する。そして、鋼線Ｗを折り返すことにより、後にアーム受止部５２や交差フック部５１、補助アーム５３となる鋼線対を形成する。次に、折り返した鋼線Ｗの先端部分を鋼線Ｗに巻き付けて巻付部５４やロックアーム６０を形成する。
【００５３】
次に、送り出された鋼線Ｗの、巻付部５４が形成された部位より基端側を曲げ加工することにより、弾性支持部２を形成する。そして、鋼線対の間に、送り出された鋼線Ｗを弾性力に抗して入れ込んだ状態で、鋼線対を曲げ加工することにより、アーム受止部５２、一対の交差フック部５１，５１、補助アーム５３を形成する。最後に、送り出された鋼線Ｗの末端を曲げ加工してフック部５０形成し、各作業アーム７０ｂによる拘束を解くことで、ブランチハンガー１が形成される。
【００５４】
ブランチハンガー１を、ＮＣマルチフォーミングマシン７０を用いて機械的に製造することで、高精度で安定した曲げ加工が可能となり、微妙な接触度合やクリアランス、位置関係も安定して実現できる。その結果、例えば、スイッチ部６２ｂと揺動アーム３との重なり具合や、巻付部５４とロックアーム６０との位置関係などは、ロックアーム６０の操作性やその切替の安定性とに影響するが、このブランチハンガー１では、これらを適度に両立させることができ、高品質なブランチハンガー１を安価で量産することができる。
【００５５】
従って、本実施形態のブランチハンガー１であれば、広く普及させることができるので、延縄漁の生産性向上等に貢献できる。
【００５６】
なお、本発明にかかるブランチハンガーは、上述した実施形態に限定されず、それ以外の種々の構成をも包含する。例えば、掛止対象は幹縄に限らない。金具や釣り糸、ロープ等であってもよい。スイッチ部６２ｂの形状は円環状に限らない。Ｌ状やＵ状、直線状であってもよい。１本の鋼線Ｗで形成するのが好ましいが、複数の鋼線Ｗを組み合わせて同様の形状に形成することも可能である。
【産業上の利用可能性】
【００５７】
本発明のブランチハンガーは、延縄漁の連結金具だけでなく、例えば、レジャーとしての釣り具、カーテンレール、キーホルダー、工具を吊すホルダーなど、ワンタッチで脱着できるホルダーとして様々な用途に利用できる。
【符号の説明】
【００５８】
１  ブランチハンガー
２  弾性支持部
３  揺動アーム
４  支持アーム
５  掛止構造
５０  フック部
５１  交差フック部
５２  アーム受止部
５３  補助アーム
５４  巻付部
５５  掛止口
６０  ロックアーム
６２  ロック部
【図１】
2017201904.tif 000003
【図２】
2017201904.tif 000004
【図３】
2017201904.tif 000005
【図４】
2017201904.tif 000006
【図５】
2017201904.tif 000007